(57)【要約】【課題】刃体をワンタッチで露出及び収納が可能な医療用ナイフに関し、ナイフ部がカバーから飛び出すような事故を確実に防止できることを目的とする。【解決手段】ナイフ部２と、円筒状のカバー３と、ナイフ部２を露出位置から収納位置方向へ付勢するバネ部材１６とを備えている。ナイフ部２は、ロック爪２６を有しており、ロック爪２６がロック孔４４Ｂまたはロック孔４４Ｃに選択的に係止することで露出位置または収納位置に保持される。医療用ナイフ１を組み立てる際には、カバー３の挿入側端部の一部にはガイド部２８が形成されていて、ロック爪２６をガイド部２８を通してナイフ部２をカバー３に挿入する。ガイド部２８は、バネ部材１６による付勢方向の直線上ではロック孔４４Ｂとロック孔４４Ｃと連通しない位置に設けられている。【選択図】図１
2015002835.tif 000002
【特許請求の範囲】
【請求項１】
刃体を先端に保持するナイフ部と、前記刃体を収納可能な円筒状のカバーと、前記ナイフ部と前記カバーとの間に係止され、前記刃体を前記カバーから露出した露出位置から前記カバー内への収納位置の方向へ付勢するバネ部材と、を備えた医療用ナイフであって、
前記ナイフ部は、前記カバーに設けられた複数のロック孔に選択的に係止されることにより前記ナイフ部を前記カバーに固定するロック爪と、該ロック爪を前記カバーの外側に向けて付勢するよう支持するロック爪支持部と、を有し、
前記カバーは、前記ナイフ部を前記収納位置で固定するよう前記ロック爪と係合する第一の前記ロック孔と、前記バネ部材の付勢方向に沿った直線上に前記第一のロック孔と共に設けられて前記ナイフ部を前記露出位置で固定するよう前記ロック爪と係合する第二の前記ロック孔と、前記ロック爪が前記第一のロック孔と前記第二のロック孔との間の移動をガイドするロック爪ガイド溝と、前記第二のロック孔と対向する位置に配置され前記第二のロック孔と前記ロック爪の係止状態を解除可能なロック解除部と、前記医療用ナイフの組み立て時に前記ナイフ部が挿入される挿入側端部にあって前記ロック爪ガイド溝と前記バネ部材の付勢方向では対向していない位置に形成されるガイド部と、を有することを特徴とする医療用ナイフ。
【請求項２】
前記カバーは、前記ロック爪ガイド溝とは円周方向にずれている操作ロック位置で前記ナイフ部を固定するよう前記ロック爪と係合する第三の前記ロック孔をさらに備え、
前記ロック爪は、前記ガイド部を通して前記第三のロック孔に係止するようにしたことを特徴とする請求項１に記載の医療用ナイフ。
【請求項３】
前記ガイド部は、前記挿入側端部の前記第三のロック孔とは前記バネ部材の付勢方向では対向していない位置に形成されたことを特徴とする請求項２に記載の医療用ナイフ。
【請求項４】
第三の前記ロック孔は、第一の前記ロック孔による収納位置から円周方向に回動した位置から前記バネ部材の付勢方向に延びる第１の貫通孔と、前記ロック爪ガイド溝にまで円周方向に延びる第２の貫通孔とで形成されて、
前記ガイド部は、前記挿入側端部の前記第１の貫通孔とは前記バネ部材の付勢方向では対向していない位置に形成されたことを特徴とする請求項３に記載の医療用ナイフ。
【発明の詳細な説明】
【技術分野】
【０００１】
本発明は、外科手術用のメス等、医療現場で用いられるナイフに係り、特に、刃体をワンタッチで露出及び収納することが可能な医療用ナイフに関する。
【背景技術】
【０００２】
従来から、外科手術等に用いられるメス等の医療用ナイフは、衛生面での配慮から、全体を使い捨てにするタイプのものや、刃体のみを使い捨てにして残りの部分は洗浄、殺菌消毒の処理を施して再使用する替刃タイプのものが用いられている。
【０００３】
ところで、医療現場で手術等の外科的処置を行う際には、執刀者の他に、執刀者の補助を行う補助者が付き添っている。この補助者と執刀者との間では、通常、医療器具の受け渡しが行われており、医療用ナイフの刃体が露出して剥き出しの状態であると、その受け渡しの際に誤って手指等を傷付ける虞れがある。これは怪我のみならず院内感染等の重大な事態を引き起こしかねない問題となっている。
【０００４】
しかしながら、上記した全体を使い捨てにするタイプや刃体のみを使い捨てにするタイプの従来の医療用ナイフは刃体が常時露出しているために、医療手術時の医療ナイフの受け渡しで発生するこのような問題は解決されていない。
【０００５】
そのため、刃体の露出と収納とを簡単に行えるようにした医療用ナイフが知られている（例えば、特許文献１参照）。この医療用ナイフは、刃体を保持する刃体ホルダを先端に備えたナイフ部（ナイフ本体）と、このナイフ部と係合する円筒状の部材で、刃体を露出した状態又は内部に収納した状態でナイフ部に対して係止することが可能なカバー（刃体カバー）とから構成されており、カバーに収納された刃体を露出させる際は、まずナイフ部を捻るように回動させてカバーとナイフ部のロックを解除し、次いでナイフ部をカバーに対して軸方向にスライドさせる。次に、カバーの先端から刃体を露出させた特定の位置までナイフ部をスライドさせると、ナイフ部はカバーにロックされて、刃体が露出した状態で固定される。
【０００６】
また、カバーに刃体を収納する際にも同様に、ナイフ部を捻るように回動させてカバーとナイフ部のロックを解除し、次いでナイフ部をカバーに対して軸方向にスライドさせる。カバーに刃体を収納した特定の位置までナイフ部をスライドさせると、ナイフ部はカバーにロックされて、刃体が収納された状態で固定される。したがって、刃体の露出や収納を行うにも、〔１〕ロック解除のための回動操作、〔２〕スライド操作、の二通りのステップの操作を行わなければならず手間が煩雑となる。特に、〔１〕の操作では、片手でカバーを押さえた状態で、もう一方の手でナイフ部を持って回動させる必要があるため、片手では行えず両手での操作が必要となる。しかし、上記〔１〕から〔２〕は一連の操作であり、執刀者と補助者で分担して行うことはできない。
【０００７】
そのため、軸を押し込むことで切刃が筒管から露出し、クリップの端部を押すと切刃が内部に収納される手術刃も知られている（例えば、特許文献２を参照）。
【先行技術文献】
【特許文献】
【０００８】
【特許文献１】特許第４７３０９２０号公報
【特許文献２】実開昭６１−２２０８号公報
【発明の概要】
【発明が解決しようとする課題】
【０００９】
特許文献２のようにワンタッチ式で切刃の露出や収納が行える医療用ナイフは、簡単な操作で切刃を収納状態にして受け渡しを行うことができるために、受け渡し時における上記したような事故は防止可能である。
【００１０】
このようなワンタッチ式の医療用ナイフは、ナイフ部とこれを収納するカバーとを相対的に直線方向に移動させることで、ナイフ部の刃体を露出または収納するよう構成している。このとき、ナイフ部は、カバーから飛び出す方向に常にバネ部材によって付勢されているのを、ナイフ部に設けたロック爪がカバー内の第１の位置に係止することでカバー内に保持されて、バネ部材のバネ力に抗してナイフ部を押し出すことで、ロック爪がカバー内の第２の位置に係止して、刃体がカバーから露出する位置に保持される。
【００１１】
したがって、こうした医療用ナイフを組み立ての際にナイフ部をカバーに挿入するには、このようなロック爪をカバーの挿入側の端部周縁に引っ掛からずにカバー内に押し込む必要があり、そのため、カバーの挿入側にはロック爪を差し込むことができるガイド部を設けている。これにより、ナイフ部は、ロック爪をガイド部に通すことでバネ部材に抗して挿入することができ、ガイド部を通過したロック爪は、カバー内の前記第１の位置に設けたロック孔までガイドされて係止し、ナイフ部は刃体がカバー内に収納された状態に保持される。そして、刃体の露出時には、さらに、バネ部材のバネ力に抗してナイフ部を移動させることで、ロック爪は前記第２の位置に設けたロック孔に係止してナイフ部は刃体がカバーから露出する状態に保持される。
【００１２】
したがって、ロック爪によるこれらロック孔での係止が何かの拍子で外れると、ナイフ部はバネ部材により挿入端側の方向に付勢されているために、ロック爪はガイド部を通って勢いよくカバーから飛び出して予期せぬ事故が起きる。そのため、カバー内でナイフ部を確実に保持する飛出し防止部材を設けたり、或いは組み立て時に利用したガイド部を確実に塞ぐなどの対策を採ることが考えられるが、これらの対策はコストアップを招来し、衛生面での配慮から１回の使用ごとにナイフ部や又はナイフ部を含めた全体を廃棄するディスポーザブルタイプの医療用ナイフとしてはコスト面で好ましいものではない。
【００１３】
本発明は、上記点に鑑みて、ロック爪がロック孔との係止が外れたとき、ナイフ部がカバーから飛び出すのを簡単な構成で防止できる医療用ナイフを提供することを目的とする。
【課題を解決するための手段】
【００１４】
本発明は、上記課題を解決するために、刃体を先端に保持するナイフ部と、前記刃体を収納可能な円筒状のカバーと、前記ナイフ部と前記カバーとの間に係止され、前記刃体を前記カバーから露出した露出位置から前記カバー内への収納位置の方向へ付勢するバネ部材と、を備えた医療用ナイフであって、前記ナイフ部は、前記カバーに設けられた複数のロック孔に選択的に係止されることにより前記ナイフ部を前記カバーに固定するロック爪と、該ロック爪を前記カバーの外側に向けて付勢するよう支持するロック爪支持部と、を有し、前記カバーは、前記ナイフ部を前記収納位置で固定するよう前記ロック爪と係合する第一の前記ロック孔と、前記バネ部材の付勢方向に沿った直線上に前記第一のロック孔と共に設けられて前記ナイフ部を前記露出位置で固定するよう前記ロック爪と係合する第二の前記ロック孔と、前記ロック爪が前記第一のロック孔と前記第二のロック孔との間の移動をガイドするロック爪ガイド溝と、前記第二のロック孔と対向する位置に配置され前記第二のロック孔と前記ロック爪の係止状態を解除可能なロック解除部と、前記医療用ナイフの組み立て時に前記ナイフ部が挿入される挿入側端部にあって前記ロック爪ガイド溝と前記バネ部材の付勢方向では対向していない位置に形成されるガイド部と、を有することを特徴とする医療用ナイフを提供する。
【００１５】
このとき、前記カバーには、前記ロック爪ガイド溝とは円周方向にずれている操作ロック位置で前記ナイフ部を固定するよう前記ロック爪と係合する第三の前記ロック孔をさらに設けて、前記ロック爪は、前記ガイド部を通して前記第三のロック孔に係止するようにしてもよい。これにより、前記ナイフ部を不意に押し込んだときに刃体が前記カバーから露出するのが防止される。ここで、前記ガイド部は、前記挿入側端部の前記第三のロック孔とは前記バネ部材の付勢方向では対向していない位置に形成するとよい。
【００１６】
そして、第三の前記ロック孔は、第一の前記ロック孔による収納位置から円周方向に回動した位置から前記バネ部材の付勢方向に延びる第１の貫通孔と、前記ロック爪ガイド溝にまで円周方向に延びる第２の貫通孔とで形成するとよい。これにより、ロック爪が第２の貫通孔に係止している操作ロック状態から、ロック爪が第一の前記ロック孔に係止している収納ロック状態を経ないと医療用ナイフの刃体はカバーから露出できず、より安全性が高まる。
【００１７】
このとき、前記ガイド部は、前記挿入側端部の前記第１の貫通孔とは前記バネ部材の付勢方向では対向していない位置に形成するとよい。
【発明の効果】
【００１８】
本発明によれば、バネ部材のバネ力に抗してカバー内を移動するナイフ部を備えた医療用ナイフにおいて、カバー内のロック孔に係止してナイフ部を保持するロック爪の係止位置と、組み立て時にナイフ部がカバー内に差し込まれるようこのロック爪をガイドするガイド部の位置とを、バネ部材による付勢方向に沿った直線上に配置しないために、ロック爪による係止が不意に外れてもロック爪ガイド部を通過してナイフ部がカバーから飛び出すことが防止される。
【００１９】
したがって、カバー内でナイフ部を確実に保持する飛出し防止部材を設けたり、或いは組み立て時に利用したガイド部を確実に塞ぐなどの対策を採る必要がなく、組み立ても容易となるため、ディスポーザブルタイプに見合ったコストの医療用ナイフが提供される。
【図面の簡単な説明】
【００２０】
【図１】本発明に係る医療用ナイフの全体概略図。
【図２】図１に示す医療用ナイフのナイフ部の斜視図。
【図３】図２に示す医療用ナイフのナイフ部の構成を横方向から示す説明図。
【図４】図１に示す医療用ナイフのカバーの斜視図。
【図５】図４に示す医療用ナイフのカバーの構成を横方向から示す説明図。
【図６】図５に示す医療用ナイフのカバーの構成を側面から示す説明図。
【図７】図１に示す医療用ナイフの収納ロック状態から露出ロック状態へ至る各状態を横方向から示す説明図。
【図８】本発明に係わる医療用ナイフの他の実施態様の要部を横方向から示す説明図。
【図９】本発明の医療用ナイフに適用される刃体形状の例を示す説明図。
【発明を実施するための形態】
【００２１】
以下、本発明の実施の形態について、図面を参照しながら詳細に説明する。
【００２２】
図１は、本発明に係る医療用ナイフ１の全体概略図である。医療用ナイフ１は、先端に刃体２３を備えるナイフ部２と、このナイフ部２の一部を被覆可能な円筒状のカバー３と、ナイフ部２とカバー３間で係合するバネ部材１６（図２に図示）と、から構成されている。
【００２３】
そして、この医療用ナイフ１は、図１に示す４通りの状態でカバー３に対してナイフ部２を固定することができる。即ち、カバー３内にナイフ部２を挿入して医療用ナイフ１を組み立てた状態〔図１（ａ）〕、ナイフ部２が収納された状態で、ナイフ部２を押込操作することができない操作ロック状態〔図１（ｂ）〕、ナイフ部２が収納された状態で、ナイフ部２を押込操作すれば刃体を露出することができる収納ロック状態〔図１（ｃ）〕、ナイフ部２をカバー３から露出した露出ロック状態〔図１（ｄ）〕である。これら各状態の詳細については後述する。
【００２４】
次に、医療用ナイフ１の各部の構成について説明する。
【００２５】
（ナイフ部２）
図２はナイフ部２の外観を斜視図にて示しており、図３（ａ）はナイフ部２の平面図、図３（ｂ）はその正面図、図３（ｃ）は図３（ａ）におけるＦ−Ｆ線断面図である。
【００２６】
これらの図に示すように、ナイフ部２は、棒状に形成された軸体２１と、刃体２３を保持する刃体保持部２２と、刃体２３と、軸体２１と刃体保持部２２とを連結する接続部２４と、接続部２４に設けられるロック部（ロック爪支持部２５、ロック爪２６）と、から構成されている。このナイフ部２は、刃体２３を除いて樹脂により一体成形され、先端に刃体２３が埋め込まれている。尚、以下では便宜上、刃体２３が位置する側を露出側、軸体２１が位置する側を収納側と称する。
【００２７】
ロック部は、ナイフ部２の軸に対して斜め外側に向かって突出する形状のロック爪支持部２５と、ロック爪支持部２５の先端に設けられた突起であるロック爪２６とから構成される。弾性を有する樹脂により形成されているロック爪支持部２５は、図３（ｂ）で矢印ａによって示す方向に変位可能であり、軸２１に向けて内側に押圧すると、外側に向かって戻ろうとする弾性力でロック爪２６を後述するカバー本体４の各ロック孔に係止する。
【００２８】
接続部２４は、軸体２１と刃体保持部２２とを連結する部分であり、接続部２４と刃体保持部２２の境界には、バネ部材１６を係止するバネ係止部２７が形成されている。
【００２９】
（カバー３）
図４はカバー３の外観を斜視図にて示している。そして、図５（ａ）はカバー３の平面図、図５（ｂ）はその正面図、図５（ｃ）は図５（ａ）のＧ−Ｇ線断面図である。また、図６（ａ）は図５（ｂ）の左側面図、図６（ｂ）は図５（ｂ）のＩ−Ｉ線断面図、図６（ｃ）は図５（ｂ）のＪ−Ｊ線断面図である。
【００３０】
カバー３は、略円筒状のカバー本体４と、カバー本体４の収納側に設けたロック解除部４１とから成り、樹脂成形品によって構成される。
【００３１】
カバー本体４には、ナイフ部２のロック爪２６を係止するためのロック孔２４が設けられている。ロック孔２４は、ナイフ部２を操作ロック状態で固定するための操作ロック孔（第三のロック孔）２４Ａ、ナイフ部２を収納ロック状態で固定するための収納ロック孔（第一のロック孔）２４Ｂ、ナイフ部２を露出ロック状態で固定するための露出ロック孔（第二のロック孔）２４Ｃとから成る。収納ロック孔２４Ｂと露出ロック孔２４Ｃとは、バネ部材１６の付勢方向、すなわち軸体２１の軸方向、に沿った直線上に順次穿設されている。以下、この付勢方向と軸方向とを適宜、使い分けて説明していく。
【００３２】
操作ロック孔２４Ａは、図５（ｂ）に示すように、バネ部材１６の付勢方向に沿って貫通孔Ｘと、カバー本体４の円周方向に沿って穿たれた貫通孔Ｙとが組み合わされてＬ字状に形成されている。貫通孔Ｘは、収納ロック孔２４Ｂや露出ロック孔２４Ｃが配置されている直線とは円周方向に所定の角度（例えば、９０度）にてずれた位置に穿設されていて、貫通孔Ｙは、ロック爪ガイド溝１５へ向けて近づけて位置するよう穿設されている。
【００３３】
カバー３の内周面に形成されるロック爪ガイド溝１５は収納ロック孔２４Ｂと露出ロック孔２４Ｃとを接続しており、ロック爪２６が収納ロック孔２４Ｂと露出ロック孔２４Ｃとの間を移動するのを案内する。また、ロック爪ガイド溝１５は、ロック爪２６が操作ロック孔２４Ａの貫通孔Ｙとも連通している。
【００３４】
そして、カバー本体４の収納側端部の内周面には、バネ部材１６の付勢方向に沿って操作ロック孔２４の貫通孔Ｘに連通している溝であるガイド部２８が形成されている。
【００３５】
ロック解除部４１は、カバー本体４の円筒部の外側に片持ち梁状に形成された操作部４２と、操作部４２の先端内側に設けられる突起４３から構成される。操作部４２は、手動で図５（ｂ）の矢印ｂ方向に押圧操作することで、収納ロック孔２４Ｃに係止されたロック爪２６を離脱させてロック解除を行うものである。尚、図６（ｂ）及び図６（ｃ）の各図においては、ロック解除部４１は省略されている。
【００３６】
さらに、カバー本体４の内周面には、バネ部材１６を係止するためのバネ係止部４６が設けられている。そして、カバー本体４の露出側端部には、刃体２３の露出時にナイフ部２を挟んで押さえ、刃体２３を安定させるホールド部４７が設けられている。ホールド部４７は、ナイフ部２の先端近傍を押さえることにより、使用時の刃体２３のブレやガタつき等を防止する。
【００３７】
（バネ部材１６）
バネ部材１６は、図２及び図７に示すようにコイルバネで構成され、ナイフ部２のバネ係止部２７と、カバー本体４のバネ係止部４６との間に配置される。図１（ｄ）で示す刃体２３の露出時には、バネ係止部２７とバネ係止部４６との間で圧縮された状態にあり、ナイフ部２を刃体２３の収納側に付勢している。
【００３８】
（医療用ナイフ１の組み立て）
医療用ナイフ１は、ナイフ部２をカバー３の収納側端部から挿入することで組み立てるが、このときナイフ部２のロック爪２６とガイド部２８とが相対するように位置合わせをしながらナイフ部２をカバー部２の内部へ差し込む。ロック爪２６は、露出側の端面には傾斜部２６Ａ（図２及び図３））が形成されており、この傾斜部２６Ａでガイド部２８の表面を摺動しながらロック爪支持部２５の弾性に抗してカバー本体４内に入り込む。そして、ロック爪２６が操作ロック孔２４Ａまで達すると、ロック爪支持部２５の弾性力によって操作ロック孔２４Ａからカバー本体４の外方へ突出して、図１（ａ）に示す第一の操作ロック状態となって組み立てが終了する。
【００３９】
このような組み立て作業は医療用ナイフ１の製造段階で行われる。しかし、ナイフ部２をカバー本体４内に挿入するだけの簡単な作業であるから完成品で供給し、医療現場で組み立ててもよい。医療現場で組み立てれば、そのときの手術の内容に最適な様々な形状の図９で示すような種々の刃体２３を有するナイフ部２を選択することができる。
【００４０】
（医療用ナイフ１の操作状態）
図１により各操作での医療用ナイフ１の動作状態について説明する。
（１）第一の操作ロック状態
医療用ナイフ１が組み立てられたときの状態である図１（ａ）に示す第一の操作ロック状態では、ロック爪２６は、バネ部材１６に付勢されて操作ロック孔２４Ａの貫通孔Ｘにおける収納側端部に係止されている。そして、ロック爪２６が貫通孔Ｘの収納側端部に係止されている状態で、ナイフ部２の軸体２１を貫通孔Ｘの露出側端部に向けて押込操作してもバネ部材１６の弾性によって押し戻される。したがって、組み立て後に医療用ナイフ１を運搬や持ち運びする際に、衝撃等で軸体２１が押圧されても刃体２３が露出することはない。
【００４１】
（２）第一の操作ロック状態から第二の操作ロック状態へ
この第一の操作ロック状態から医療用ナイフ１を使用するには、まず、軸体２１を押込んで操作ロック孔２４Ａの貫通孔Ｘの収納側端部にあるロック爪２６を露出側端部に移動させる。そして、軸体２１をカバー３に対し相対的に回転させると、ロック爪２６は、貫通孔Ｘの露出側端部から貫通孔Ｙに移動して係止される。この状態が図１（ｂ）に示す第二の操作ロック状態であり、ロック爪２６が操作ロック孔２４Ａの貫通孔Ｙに係止されてナイフ部２によるバネ部材１６の付勢による移動が規制されている。そのため、ナイフ部２の軸体２１を押圧してもナイフ部２は動かない。このとき、バネ部材１６はナイフ部２のバネ係止部２７とカバー３のバネ係止部４６との間に係止されて圧縮されているため、ナイフ部２をカバー３内に収納する方向に付勢している。
【００４２】
（３）第二の操作ロック状態から収納ロック状態へ
次いで、操作ロック孔２４Ａの貫通孔Ｙに係止しているロック爪２６がロック爪ガイド溝１５へ向かうように、ナイフ部２の軸体２１をカバー３に対して相対的に回転させる。これにより、ロック爪２６は操作ロック孔２４Ａから離脱してカバー本体４内に入り込みロック爪ガイド溝１５に係合する。そして、バネ部材１６の付勢によってナイフ部２は収納方向に押し戻され、ロック爪２６はロック爪ガイド溝１５に案内されて収納ロック孔２４Ｂに達して、図１（ｃ）に示すように収納ロック孔２４Ｂに係止される収納ロック状態となる。図７（ａ）は、この状態を側断面図で示している。
【００４３】
収納ロック状態は、次で説明するように軸体２１を押圧すれば刃体２３が露出可能な状態であるが、第一の操作ロック状態から収納ロック状態までに至るには第二の操作ロック状態を経なければならず、これにより、予期せず刃体２３がカバー１からの露出することが防止される。
【００４４】
（４）収納ロック状態から露出ロック状態へ
医療用ナイフ１の刃体２３を露出するには、バネ部材１６の弾性に抗してナイフ部２の軸体２１を露出方向にカバー３内へ押し込む。このときも医療ナイフ１の組み立て時と同様、収納ロック孔２４Ｂに係止されていたロック爪２６は、その傾斜部２６Ａに沿ってロック爪支持部２５の弾性に抗してロック爪ガイド溝１５に入り込み、図７（ｂ）で示すように摺動する。これにより、ロック爪２６が露出ロック孔２４Ｃに至ると、図１（ｄ）及び図７（ｃ）で示すように露出ロック孔２４Ｃに係止される。このとき刃体２３はカバー３から露出した状態の露出ロック状態に保持されて、ナイフ部２の刃体保持部２２がカバー３のホールド部４７によって挟持されて刃体２３を安定させる。医療用ナイフ１は、この露出ロック状態で外科手術等に用いられる。このとき、バネ部材１６はナイフ部２のバネ係止部２７とカバー３のバネ係止部４６との間に係止されて圧縮されているため、ナイフ部２を収納する方向に付勢している。
【００４５】
（５）露出ロック状態から収納ロック状態へ
刃体２３を露出した露出ロック状態からロックを解除して収納ロック状態に戻すには、ロック解除部４１を操作して、突起４３でロック爪支持部２５の弾性に抗してロック爪２６を露出ロック孔２４Ｃから押し込みロック爪２６を離脱させる。これにより、収納ロック孔２４Ｂにロック爪２６が係止されるまでバネ部材１６がナイフ部２を収納側へと押し戻し、医療用ナイフ１は収納ロック状態に復帰する。
【００４６】
このように、本実施形態の医療用ナイフ１は、操作ロック状態を解除する際、押し込んでから回転させるという偶発的には起こりにくい操作を必要とする。そのため、不用意に操作ロックが解除されることなく安全性が確保されている。従って、補助者が操作ロック状態を解除して執刀者に医療用ナイフ１を手渡すことで、執刀者と補助者は刃体２３を収納した状態で受け渡しを行うことができ、医療用ナイフ１を用いた外科手術を安全に行うことが可能となる。
【００４７】
そして、医療用ナイフ１を渡された執刀者は、ナイフ部２の軸体２１をカバー３に押し込むだけの操作で刃体２３を露出させ、ロック解除部４１を押圧する操作だけで刃体２３を収納することができ、何れも片手だけのワンアクションで済むため操作性が良い。
【００４８】
そして、ロック爪ガイド溝１５は、ガイド部２８とはバネ部材１６による付勢方向の直線上では連通していないために、ロック爪２６の係止が不完全であったり、またはロック爪支持部２５が刃体２３の収納及び露出の繰り返しによる疲労によって弾性力が低下してロック爪２６と収納ロック孔２４Ｂとの係止力が弱まったりしたとき、それによりバネ部材１６の反発力によってナイフ部２がカバー３から飛び出す不意の事故が防止できる。
【００４９】
ナイフ部２の飛出し防止についてさらに説明する。ロック爪２６が収納ロック孔２４Ｂ（又は収納ロック孔２４Ｃ）の縁部と当接することで係止しているとき、ロック爪２６には軸体２１の方向への力が加えられている。この力に対しては、ロック爪支持部２５の弾性力が打ち勝っているために、ロック爪２６は、沈み込まずにカバー本体４の外方へ突出して係止状態を維持している。しかし、ロック爪支持部２５の弾性力の低下でロック爪２６の係止する力が弱まったり、或いは不完全な係止状態であると、ロック爪２６は収納ロック孔２４Ｂ（又は収納ロック孔２４Ｃ）との係止が外れて本体カバー４内に沈み込む。そして、このとき、収納ロック孔２４Ｂと収納ロック孔２４Ｃが位置している直線の延長上にガイド部２８が形成されていると、バネ部材１６のバネ力でロック爪２６はガイド部２８をすり抜けてカバー本体４の外へ飛び出すことになる。しかし、ガイド部２８は、ロック爪ガイド溝１５とはバネ部材１６による付勢方向の直線上では連通しておらず、収納ロック孔２４Ｂや収納ロック孔２４Ｃとの係止が外れても、バネ部材１６のバネ力でロック爪２６がガイド部２８をすり抜けて、ナイフ部２がカバー本体４の外へ飛び出すことが防止されている。
【００５０】
同様に、ロック爪２６が操作ロック孔２４Ａの貫通孔Ｙに係止された第二の操作ロック状態にあっても、貫通孔Ｙはガイド部２８とは軸方向での直線上では連通していないために、この状態でもロック爪２６は貫通孔Ｙの内側の壁に当接するためナイフ部２がカバー本体４から不意に飛び出すことが防止される。
【００５１】
（ガイド部２８の配置の変形例）
そして、ガイド部２８は操作ロック孔２４Ａの貫通孔Ｘにも連通しないように構成すればより安全である。この場合の構成を要部のみ示す図８を用いて説明する。
【００５２】
ガイド部２８は、ロック爪ガイド溝１５とは１８０度、操作ロック孔２４Ａとは９０度ずれた位置に形成している。そして、ガイド部２８における操作ロック孔２４Ａと正面で対向する位置には連通溝２８Ａが設けられる。
【００５３】
したがって、ロック爪２６をガイド部２８と相対するように位置合わせをしながらナイフ部２をカバー本体４の内部へ差し込み、ロック爪２６が操作ロック孔２４Ａと円周方向で正対する位置にまで達したとき、ナイフ部２をカバー３の円周方向に９０度相対的に回動させることで、ロック爪２６は、連通溝２８Ａから操作ロック孔２４Ａにまで導かれる。そして、ロック爪２６は、ロック爪支持部２５の弾性力によって操作ロック孔２４Ａから外方へ突出して、図１（ａ）に示す第一の操作ロック状態となって組み立てが終了する。そして、第一の操作ロック状態から第二の操作ロック状態へ、さらに第二の操作ロック状態から収納ロック状態への上述したのと同様の操作で行われる。
【００５４】
上記したように本発明に係わる医療用ナイフ１は、組み立て時に使用するガイド部２８を少なくとも収納ロック孔（第一のロック孔）２４Ｂ及び露出ロック孔（第二のロック孔）２４Ｃとを結ぶバネ部材１６による付勢方向の直線の延長上には配置しておらず、ロック爪２６は収納ロック孔２４Ｂとの係止が外れてもガイド部２８を通過してナイフ部２がカバー本体４から飛び出す事故が確実に防止される。より好ましくは、ガイド部２８を操作ロック孔２４Ａともバネ部材１６による付勢方向の直線上には配置しない構成にするとよい。
【００５５】
これにより、ロック爪２６の係止が外れたときにナイフ部２をカバー本体４内に保持する機構、或いは組み立て終了後にガイド部２４を塞ぐ部材や工程が不要で、ディスポーザブルタイプに見合ったコストの医療用ナイフが提供される。
【００５６】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００５７】
本発明は、外科手術用のメス等、医療現場で用いられるナイフに係り、特に、刃体をワンタッチで露出及び収納することが可能な医療用ナイフに関し、産業上の利用可能性を有する。
【符号の説明】
【００５８】
１      医療用ナイフ
２      ナイフ部
３      カバー
４      カバー本体
１５    ロック爪ガイド溝
１６    バネ部材
２１    軸体
２５    ロック爪支持部
２６    ロック爪
４１    ロック解除部
２４    ロック孔
２４Ａ  操作ロック孔（第三のロック孔）
２４Ｂ  収納ロック孔（第一のロック孔）
２４Ｃ  露出ロック孔（第二のロック孔）
２８    ガイド部
Ｘ      第１の貫通孔
Ｙ      第２の貫通孔
【図１】
2015002835.tif 000003
【図２】
2015002835.tif 000004
【図３】
2015002835.tif 000005
【図４】
2015002835.tif 000006
【図５】
2015002835.tif 000007
【図６】
2015002835.tif 000008
【図７】
2015002835.tif 000009
【図８】
2015002835.tif 000010
【図９】
2015002835.tif 000011